(57)【特許請求の範囲】
【請求項１】
開口部を有した遊技盤の背面に組み付けられ、且つ該開口部と連通する開口部を有した環状のベース枠と、該ベース枠の背面に形成された複数の取付け区画と、該各取付け区画内に一個ずつ取付けられる複数の可動装飾体ユニットと、該ベース枠背面に取付けを完了した可動装飾体ユニットの背面に跨って組み付けられる図柄表示装置と、を備えた組付け構造体を有したパチンコ遊技機であって、
前記図柄表示装置をベース枠背面の前記各可動装飾体ユニットの各背面に添設して所要箇所をネジ止めすることにより図柄表示装置を固定することができ、
前記ベース枠の前記各取付け区画内に全ての前記可動装飾体ユニットを取り付けた際に、全ての前記可動装飾体ユニットの背面が前記図柄表示装置の組付けに適したフラット面となるように構成されており、
前記図柄表示装置は、前記ベース枠背面に取付けを完了した全ての可動装飾体ユニットの背面に跨って組み付けられ、且つ、少なくとも一つの前記可動装飾体ユニットの背面側に組み付けた背面がフラットな平面となっている背面カバーを介して組み付けられることを特徴とするパチンコ遊技機。
【発明の詳細な説明】
【技術分野】
【０００１】
本発明は、パチンコ遊技機を構成する遊技盤面上において種々動作することによって遊技進行上特徴的な演出効果を発揮するように構成された可動装飾体とその駆動機構をユニット化した役物ユニットの組付け構造に関する。
【背景技術】
【０００２】
パチンコ遊技機においては、遊技盤の盤面に入賞口、風車、図柄表示装置、電飾装置等の各種盤面部品を設けて遊技内容の多様性を図っている。例えば、遊技の進行中における入賞、その他の状況変化を契機として可動盤面部品（可動装飾体）を種々の方向、態様に動作、変形させることにより演出効果を高めている。
例えば、遊技盤に設けられた始動入賞口に遊技球が入賞すると、遊技盤中の図柄表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために可動装飾体を用いた様々な表示演出が行われる。
【０００３】
例えば、特許文献１には、遊技盤に設けた開口部内に揺動自在に支持した揺動保持枠によって図柄表示装置（液晶表示装置）を支持した構成が開示されている。揺動保持枠には更にジャンパー人形が上下動可能に支持されると共に、ジャンパー人形を上方に飛び出すように動作させる電磁ソレノイドが設けられている。ジャンパー人形は、非動作時には揺動保持枠に配置した円筒部内にジャンパー人形が隠蔽されるように収納し、動作時にはジャンパー人形の全身が円筒部から上方に飛び出すように突出させている。
揺動保持枠を揺動させるための駆動機構として２つのソレノイドが遊技盤裏面に設けられ、更にジャンパー人形を動作させるための駆動機構として２つのソレノイドが遊技盤裏面に設けられている。これらの各構成部品は個別に組み付ける必要があるため生産性が低下するという問題を有している。
特許文献１にあっては、図柄表示装置の液晶表示面積が遊技盤面積に比して比較的小さいため、揺動保持枠、ジャンパー人形、ソレノイド群を配置するスペースを遊技盤裏面に広く確保することができるが、大型の図柄表示装置を組み込む場合には遊技盤の開口部が大きくなるため、その分だけ遊技盤裏面側に各種部品を配置するスペースが狭くなり、各種部品を個別に組み付ける作業が更に難しくなる。
【０００４】
なお、特許文献１のように可動装飾体が２種類（揺動保持枠、ジャンパー人形）しかない場合には駆動機構部品を含めた各種部品の組付けスペースを確保して、個々の部品毎に組付けを行うことは可能であるが、可動装飾体の個数が３個、或いは４個以上に増えた場合には、大面積の図柄表示装置の影響によって極限された狭いスペース内に部品単位で組付けを行うことは極めて困難な作業となる。
また、図柄表示装置は、遊技盤の開口部面積が異なる複数機種の遊技機に共通使用されることが多いため、図柄表示装置のディスプレイが遊技盤の開口部面積を超えた広い面積を有していることがある。このような場合には、遊技盤の開口部の背面側に図柄変動表示装置を組み付けた際に、図柄表示装置の前面外周部分が開口部外周縁よりも外側に張り出した状態となる。この場合、遊技盤裏面側に事前に組み付けられた可動装飾体やその駆動機構を構成する各種部品が背面側に突出していると、図柄表示装置の張出し面と干渉して組付けが困難化する。つまり、遊技盤裏面に対して可動装飾体に係る各種部品を個別に組み付ける限り、大面積の図柄表示装置を組付けるためのレイアウトをスムーズに行うことは難しい。
【特許文献１】特開２００１−１５７７５７公報
【発明の開示】
【発明が解決しようとする課題】
【０００５】
以上のように、大面積の図柄表示装置と、複数の可動装飾体、及びその駆動機構を備えたパチンコ遊技機にあっては、遊技盤に形成される大面積の開口部の影響によって遊技盤背面の可動装飾体及び駆動機構を取り付けるスペースが極限されていたため、可動装飾体及び駆動機構を構成する各種部品を個別に組み付ける作業が繁雑化していた。また、遊技盤の開口部の開口面積が異なる異機種の遊技機に対して、同一サイズの図柄表示装置が共通使用される場合、開口部の周縁を越えて特別図柄表示装置が張り出した状態で組み付けられるが、この場合、遊技盤背面側に組み付けられた各種部品の背面側突出寸法にバラツキがあると、これらが障害となって図柄表示装置を組み付けにくくなるというレイアウト上の問題があった。
【０００６】
本発明は上記に鑑みてなされたものであり、部品点数の増加、構造の複雑化、コストアップを招くことなく、遊技盤背面の極限された設置スペース内にレイアウト性よく複数の可動装飾体とその駆動機構を配置し、しかも各構成部品の後方への突出長を平均化して大面積の図柄表示装置の組付けを容易化したパチンコ遊技機を提供することを目的としている。
【課題を解決するための手段】
【０００７】
上記目的を達成するため、本発明に係るパチンコ遊技機は、開口部を有した遊技盤の背面に組み付けられ、且つ該開口部と連通する開口部を有した環状のベース枠と、該ベース枠の背面に形成された複数の取付け区画と、該各取付け区画内に一個ずつ取付けられる複数の可動装飾体ユニットと、該ベース枠背面に取付けを完了した可動装飾体ユニットの背面に跨って組み付けられる図柄表示装置と、を備えた組付け構造体を有したパチンコ遊技機であって、前記図柄表示装置をベース枠背面の前記各可動装飾体ユニットの各背面に添設して所要箇所をネジ止めすることにより図柄表示装置を固定することができ、前記ベース枠の前記各取付け区画内に全ての前記可動装飾体ユニットを取り付けた際に、全ての前記可動装飾体ユニットの背面が前記図柄表示装置の組付けに適したフラット面となるように構成されており、前記図柄表示装置は、前記ベース枠背面に取付けを完了した全ての可動装飾体ユニットの背面に跨って組み付けられ、且つ、少なくとも一つの前記可動装飾体ユニットの背面側に組み付けた背面がフラットな平面となっている背面カバーを介して組み付けられることを特徴とする。
ベース枠に組付けを完了した全ての可動装飾体ユニットは、図柄表示装置のフラットな前面を組み付ける上で障害となることがない。従って、図柄表示装置をベース枠背面の各可動装飾体ユニットの各背面に添設して所要箇所をネジ止めすることにより図柄表示装置を固定することができ、ベース枠と各可動装飾体ユニットと図柄表示装置とからなる結合体の全体厚を薄くすることができる。
【０００８】
また、図柄表示装置が全ての可動装飾体ユニットの背面に跨って配置されるように構成することにより、ベース枠背面に全ての可動装飾体ユニットを集中的に配置することができる。このように構成した結果、図柄表示装置を取り外した場合に、メンテナンスや故障した場合の部品交換が容易となる。
【０００９】
また、図柄表示装置が１又は２以上の可動装飾体ユニットの背面に跨って配置されるように構成することにより、ベース枠背面に可動装飾体ユニットを集中的に配置することができる。このように構成した結果、図柄表示装置を取り外した場合に、メンテナンスや故障した場合の部品交換が容易となる。
【発明の効果】
【００１０】
以上のように本発明では、ベース枠の背面内に全ての可動装飾体ユニットを整合性よく組付けするための取付け区画を予め仕切形成し、各区画内に各可動装飾体ユニットを配置できるように構成した。このため、従来のようにユニットを構成する個々の部品を個別に組み付ける手数を省き、生産性を大幅に向上できる。
また、各ユニットを構成する部品は背面方向への突出長が抑えられているため、各ユニットの背面側に組み付けられる図柄表示装置の組付けの障害となることがない。特に、異機種間で共通使用される図柄表示装置はベース枠の開口部サイズを大幅に越えた面積を有することがあるが、このような場合においても図柄表示装置のはみ出した部分がユニットを構成する部品と干渉して取付けできなくなることがない。この結果として、図柄表示装置の後方への突出長も極限して薄型化を図ることができる。
【発明を実施するための最良の形態】
【００１１】
以下、本発明を図面に示した実施の形態により詳細に説明する。
図１は、本発明の一実施形態に係るパチンコ遊技機の構成例を示した全体正面図である。
パチンコ遊技機１は、矩形形状の枠２を有し、この枠２の窓孔に対して裏側から遊技盤３が着脱可能に取り付けられている。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には遊技機用ボタンスイッチや、遊技球の購入ボタン、購入取り消しボタンが設けられている。
【００１２】
遊技盤の裏面には、液晶画面、主制御基板とサブ制御基板等、遊技の進行、演出に関わる裏部品を組み付けた合成樹脂製の機構板（何れも図示せず）が開閉自在に装着されている。遊技盤３における遊技領域３ａの周囲には、発射レバー５を操作することにより発射装置から発射された遊技球を遊技領域３ａの上部に案内したり、アウト口１５に案内する外レールＲ１、及び内レールＲ２が設けられている。
遊技盤３のほぼ中央部には、中央が開口したセンター部材７が配置される。センター部材７の内奥部には図柄表示装置９が配置されている。図柄表示装置９は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
【００１３】
センター部材７の上部中央に設けられた可動装飾体設置領域７ａには、第１の可動装飾体３０が設けられている。第１の可動装飾体３０は、この例では遊技の進行に関与するギミックである黒ひげの顔部と胴体を象ったものである。
センター部材７の下方には、図柄表示装置９の特別図柄を可変表示させるための可変入賞装置１１が設けられている。また、センター部材７の左側には、遊技盤の右下部に配置された普通図柄表示装置１０に表示される普通図柄を作動させるためのゲート１２が設けられている。さらに可変入賞装置１１の下方には、特別遊技状態の一つである大当たり状態のときに開成状態になる開閉扉を有する大入賞口１３が設けられている。
可変入賞装置１１は、図柄表示装置９を可変表示させるための上始動ポケット１４と、左右一対の開閉爪（可動片）を有する図示しない電動式チューリップとを備えて構成される。
遊技盤３には普通入賞口１６やアウト口１５等が設けられていると共に、風車や図示しない多数の遊技釘が突設されている。遊技釘は、遊技球の落下速度を遅くすると共に、落下方向を複雑に変化させて遊技進行上の興趣を高めている。
【００１４】
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
図柄表示装置９に表示される特別図柄は、停止図柄が予め定められた図柄の組合せ、例えば同一図柄の組合せとなった場合に大当たり状態となるように構成されている。また特別図柄は可変入賞装置１１の上始動ポケット１４又は電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１５】
図２（ａ）（ｂ）及び（ｃ）は本発明の一実施形態に係る第１の可動装飾体の動作パターンを説明するための要部正面図であり、図３は支持部材と第１の可動装飾体ユニットを示す分解側面図である。  
第１の可動装飾体ユニット４０は、黒ひげの顔部（主可動体）３２と胴部（従可動体）３５とを象った第１の可動装飾体３０と、第１の可動装飾体３０を駆動するための駆動機構５０と、を備えている。
第１の可動装飾体３０は、センター部材７の背面側に配置された支持部材６０によって上下方向へ動作可動な状態で支持されている。具体的には、第１の可動装飾体３０は、非作動状態においては図２（ａ）に示した中間高さ位置（初期位置）にある一方で、作動時には駆動機構５０が駆動することによって（ｂ）に示した最下降位置まで一旦下降してから、直ちに（ｃ）に示した最上昇位置まで一気に上昇（ジャンプ）する。その後、（ａ）に示した初期位置に復帰して停止する。
駆動機構５０は、モータ５１、ギヤ５２、カム５３、アーム５４から構成されている。
第１の可動装飾体ユニット４０の背面側には、必要に応じて全構成要素の背面側をカバーする背面カバー（図１１において後述）を組み付けてカバーの背面板がフラットな平面となるように構成する。
【００１６】
次に、図４（ａ）及び（ｂ）は第２の可動装飾体７１を含んだ第２の可動装飾体ユニット７０の正面図、及び背面図である。
第２の可動装飾体７１は、センター部材７の開口内に設けられており、この例では遊技の進行に関与するギミックである大樽を象ったものである。
図４（ａ）及び（ｂ）は本発明の第２の可動装飾体を含む第２の可動装飾体ユニットの正面図、及び背面図である。
第２の可動装飾体ユニット７０は、正面外観として大樽を象った環状の第２の可動装飾体７１と、第２の可動装飾体７１を駆動するために左右に夫々配置された電磁ソレノイド（駆動機構）７５と、を備えている。
可動装飾体７１は、遊技盤３（遊技盤３に固定された他の部材を含む）によって可動な状態で支持されている。具体的には、可動装飾体７１は、下辺の中央部に設けた軸部７２によって左右両方向へ揺動可能に軸支される一方で、上辺の左右両側に夫々設けた各長穴と、各長穴を経由して前方に位置する遊技盤に固定されたネジ７３とによって左右方向への揺動範囲を規制されている。
【００１７】
電磁ソレノイド７５は、遊技盤（遊技盤３に固定された他の部材を含む）に固定されたソレノイド本体７６と、ソレノイド本体７６から上下方向へ突出入自在に支持され先端部に作動片７８を支持したプランジャ７７と、プランジャ７７を突出方向へ付勢する弾性部材７９と、プランジャ７７により回動自在に軸支された作動片７８と、を備える。
ソレノイド本体７６の非通電時にはプランジャ７７は弾性部材７９によって突出方向（上方）へ付勢されており、ソレノイド本体の通電時にはプランジャは弾性部材７９に抗して引っ込んだ状態となる。
第２の可動装飾体７１は、作動片７８に係合してプランジャ７７の突出入動作による駆動力を可動装飾体に伝達するピンを備えている。
以上の構成において、第２の可動装飾体７１を動作させる為に両ソレノイド本体７６に対する非通電、通電を繰り返している期間中は、プランジャ７７が突出したり、引っ込むことにより、ピンと一体の第２の可動装飾体７１は予め既定された軌道の範囲内で往復動作することができる。本実施形態では、両電磁ソレノイドの通電タイミングを異ならせて交互に通電、非通電を繰り返すことにより、第２の可動装飾体７１は軸部７２を中心とした左右方向への揺動を実現できる。
【００１８】
図５（ａ）（ｂ）、及び図６（ａ）（ｂ）は本発明の第３の可動装飾体を含む第３の可動装飾体ユニットの構成、及び動作説明図である。図５は上下の樽片が連結した閉止状態、図６は上下の樽片が離間した開放状態を夫々示している。
センター部材７の右側には第３の可動装飾体８０が設けられている。第３の可動装飾体８０は、この例では遊技の進行に関与するギミックである樽を象ったものである。
第３の可動装飾体８０と、後述する駆動機構８６は、第３の可動装飾体ユニット９０を構成している。
第３の可動装飾体８０は、遊技盤３に固定された支持部材６１によって所定方向（上下方向）へ進退可能に支持された可動部品としての上部樽片８１と、上部樽片８１の進退動作の過程において上部樽片と接近したり離間するように配置された固定部品としての下部樽片８４と、を備えている。上部樽片８１の下部のギザギザ部と、下部樽片８４の上部のギザギザ部とは、両樽片の閉止時に図５（ａ）に示すように正しく噛み合った状態となるように構成されている。
【００１９】
上部樽片８１はその側部にブラケット８２を備えている。ブラケット８２は上部樽片８１の側部に一体化されており、ブラケット８２にネジ止めされる連結部材８５を介して駆動機構８６と上部樽片８１とを連結する手段である。駆動機構８６は連結部材８５を介して上部樽片８１に駆動力を伝達する。
駆動機構８６は、モータ８７、出力ギヤ８７ａ、ピニオン８８、ラック８９からなる。ラック８９は連結部材８５と一体化されている。
第３の可動装飾体ユニット９０の背面側には、必要に応じて全構成要素の背面側をカバーする背面カバー（図示しない）を組み付けてカバーの背面板がフラットな平面となるように構成する。
【００２０】
図７（ａ）及び（ｂ）は本発明の第４の可動装飾体を含む第４の可動装飾体ユニットの組立て状態説明図、及び一部構成説明図である。
第４の可動装飾体ユニット１００は、図４に示した大樽を象った環状の第４の可動装飾体７１の下部に組み付けられる３個の小樽からなる第４の可動装飾体１０１と、その駆動機構（電磁ソレノイド）１０２と、これらを支持する支持部材１０５と、を備えている。
第４の可動装飾体ユニット１００の背面側には、必要に応じて全構成要素の背面側をカバーする背面カバー（図示しない）を組み付けてカバーの背面板がフラットな平面となるように構成する。
【００２１】
図８は遊技盤の背面側に固定したベース枠に組み付けられる各可動装飾体ユニット、及び図柄表示装置９の分解斜視図であり、図９はベース枠、各可動装飾体ユニット、及び図柄表示装置の分解側面図であり、図１０はベース枠に対して全ての可動装飾体ユニットを組付け完了した状態を示す側面図である。
図１に示した遊技盤３の背面に固定されるベース枠１２０は遊技盤中央の開口部に対応した開口部１２１を有した環状体であり、ベース枠の背面には、第１乃至第４の可動装飾体ユニット４０、７０、９０、１００に夫々対応した複数の取付け区画４０Ａ、７０Ａ、９０Ａ、１００Ａが形成されている。
本発明の可動装飾体ユニット組付け構造は、開口部を有した遊技盤３の背面に組み付けられ、且つ開口部と連通する開口部１２１を有した環状のベース枠１２０と、ベース枠の背面に形成された複数の取付け区画４０Ａ、７０Ａ、９０Ａ、１００Ａと、該各取付け区画内に一個ずつ取付けられる複数の可動装飾体ユニット４０、７０、９０、１００と、該ベース枠背面に取付けを完了した全ての可動装飾体ユニットの背面に跨って組み付けられる図柄表示装置９と、を備え、ベース枠１２０の各取付け区画内に全ての可動装飾体ユニットを取り付けた際に、全ての可動装飾体ユニットの背面が図柄表示装置の組付けに適したフラット面となるように構成されている点が特徴的である。
【００２２】
即ち、各取付け区画４０Ａ、７０Ａ、９０Ａ、１００Ａは、第１乃至第４の可動装飾体ユニット４０、７０、９０、１００を整合性よく組付けできる形状、構造を有しており、図１０に示すように全ての可変装飾体ユニットを各取付け区画に取り付けた場合（組付け、及びネジ止めした場合）には第１の可動装飾体ユニット４０を構成するモータ５１を除いて背面方向への突出部品が存在しない。モータ５１は開口部から十分に離間したベース枠１２０の端縁に位置しているため、図柄表示装置９の装着に対する支障とはならない。このようにベース枠１２０に組付けを完了した全ての可動装飾体ユニットは、図１０に示すように図柄表示装置９のフラットな前面を組み付ける上で障害となることがない。従って、図柄表示装置９をベース枠１２０背面の第１乃至第４の可動装飾体ユニット４０、７０、９０、１００の背面に添設して所要箇所をネジ止めすることにより図柄表示装置９を固定することができ、ベース枠１２０と第１乃至第４の可動装飾体ユニット４０、７０、９０、１００と図柄表示装置９とからなる結合体の全体厚を薄くすることができる。
なお、前述のように各可動装飾体ユニットの背面側に全構成要素の背面側をカバーする背面カバーを組み付けて、全てのカバーの背面板が同一面状のフラットな平面となるように構成した場合には、図柄表示装置９の組付けが更にスムーズになることは言うまでもない。
【００２３】
このように本発明では、ベース枠の背面内に全ての可動装飾体ユニットを整合性よく集中して組付けた。特に、予めベース枠背面内に各可動装飾体ユニットを組み付けやすい区画を形成したので、各区画内に可動装飾体ユニットを配置することによりベース枠背面をコンパクトに構成することができる。従って、従来のようにユニットを構成する個々の部品を個別に組み付ける手数を省き、生産性を大幅に向上できる。また、各ユニットを構成する部品は背面方向への突出長が抑えられているため、各ユニットの背面側に組み付けられる図柄表示装置の組付けの障害となることがない。特に、異機種間で共通使用される図柄表示装置はベース枠の開口部サイズを大幅に越えた面積を有することがあるが、このような場合においても図柄表示装置のはみ出した部分がユニットを構成する部品と干渉して取付けできなくなることがない。この結果として、図柄表示装置の後方への突出長も極限して薄型化を図ることができる。
【００２４】
次に、図１１（ａ）はベース枠に組付け完了した全ての可動装飾体ユニットに対して背面カバーを組み付けた状態を示す斜視図であり、（ｂ）はベース枠、各可動装飾体ユニット、背面カバー、及び図柄表示装置の分解側面図である。
背面カバー１３０は、ベース枠背面に全ての可動装飾体ユニットを組み付けた状態において、少なくとも一部の可動装飾体ユニットの背面を覆うようにベース枠１２０に組み付けられる。しかも、背面カバー１３０の背面１３０ａはフラット面となっているため、図柄表示装置９の平坦な前面を当接させて組み付けるに適した構成となっている。なお、背面カバー１３０の側端部には、第１の可動装飾体３０の駆動機構５０を構成するモータ５１を突出させる穴１３１が形成されている。モータ５１は、図柄表示装置と干渉しない位置にある。
【００２５】
なお、背面カバー１３０は、図１１に示したように複数の可動装飾体ユニットに跨ってカバーすることによりフラットな背面を形成するように構成してもよいが、個々の可動装飾体ユニット毎に背面板がフラットな小面積の背面カバーを取付け、各小面積の背面カバーの背面板が連続した、或いは非連続なフラット面を形成するようにしてもよい。
また、図柄表示装置９は、ベース枠背面に取付けを完了した一部の可動装飾体ユニットの背面に組み付けても良いし、全ての可動装飾体ユニットの背面に跨って組み付けても良い。図柄表示装置９をベース枠背面に取付けを完了した全ての可動装飾体ユニットの背面に跨って組み付けた場合には、ベース枠背面に全ての可動装飾体ユニットを集中的に配置することができる。このように構成すると、図柄表示装置を取り外した場合に、各可動装飾体ユニットに対するメンテナンスや故障した場合の部品交換が容易となる。
【００２６】
なお、パチンコ遊技機の他の詳細な構成については図示説明していないが、本願発明の技術的範囲中にパチンコ遊技機、及び遊技盤が含まれることに疑いがない。
【図面の簡単な説明】
【００２７】
【図１】本発明の一実施形態に係るパチンコ遊技機の構成例を示した全体正面図である。
【図２】（ａ）（ｂ）及び（ｃ）は本発明の一実施形態に係る可動装飾体の動作パターンを説明するための要部正面図である。
【図３】（ａ）及び（ｂ）は支持部材と可動装飾体ユニットを示す分解側面図である。
【図４】（ａ）及び（ｂ）は本発明の第２の可動装飾体を含む可動装飾体ユニットの正面図及び背面図である。
【図５】（ａ）及び（ｂ）は本発明の第３の可動装飾体を含む可動装飾体ユニットの構成及び動作説明図である。
【図６】（ａ）及び（ｂ）は図５の可動装飾体ユニットの他の動作状態を示す図である。
【図７】（ａ）及び（ｂ）は本発明の第４の可動装飾体を含む第４の可動装飾体ユニットの組立て状態説明図及び一部構成説明図である。
【図８】遊技盤の背面側に固定したベース枠に組み付けられる各可動装飾体ユニット及び図柄表示装置の分解斜視図である。
【図９】ベース枠、各可動装飾体ユニット及び図柄表示装置の分解側面図である。
【図１０】ベース枠に対して全ての可動装飾体ユニットを組付け完了した状態を示す側面図である。
【図１１】（ａ）はベース枠に組付け完了した全ての可動装飾体ユニットに対して背面カバーを組み付けた状態を示す斜視図、（ｂ）はベース枠、各可動装飾体ユニット、背面カバー及び図柄表示装置の分解側面図である。
【符号の説明】
【００２８】
１…パチンコ遊技機、２…枠、３…遊技盤、３ａ…遊技領域、４…皿部、５…発射レバー、７…センター部材、７ａ…可動装飾体設置領域、９…図柄表示装置、１０…普通図柄表示装置、１１…可変入賞装置、１２…ゲート、１３…大入賞口、１４…普通入賞口、１５…アウト口、３０…第１の可動装飾体、３２…顔部（主可動体）、３２ａ…被ガイド片、３２ｂ…ガイドピン、３５…胴部（従可動体）、３５ａ…長穴、３６…ピン、４０…第１の可動装飾体ユニット、５０…駆動機構、６０…支持部材、７０…第２の可動装飾体ユニット、７１…第２の可動装飾体、７２…軸部、７３…ネジ、７５…ソレノイド、７６…ソレノイド本体、７７…プランジャ、７８…作動片、７９…弾性部材、８０…第３の可動装飾体、８１…上部樽片、８２…ブラケット、８４…下部樽片、８５…連結部材、８６…駆動機構、９０…第３の可動装飾体、１００…第４の可動装飾体ユニット、１０１…第４の可動装飾体、１０２…駆動機構、１０５…支持部材、１２０…ベース枠、１２１…開口部、４０Ａ、７０Ａ、９０Ａ、１００Ａ…取付け区画、１３０…背面カバー。
【図１】
0004940071.tif 000002
【図２】
0004940071.tif 000003
【図３】
0004940071.tif 000004
【図４】
0004940071.tif 000005
【図５】
0004940071.tif 000006
【図６】
0004940071.tif 000007
【図７】
0004940071.tif 000008
【図８】
0004940071.tif 000009
【図９】
0004940071.tif 000010
【図１０】
0004940071.tif 000011
【図１１】
0004940071.tif 000012